(57)【要約】【課題】チャネル切り替え時に切り替え後のチャネルの映像が表示されるまでの時間を短縮する。【解決手段】第１の受信系（ブロック１０３Ａ，１０４Ａ）と、第２の受信系（ブロック１０３Ｂ，１０４Ｂ）とを備える。制御部１０１は、チャネル切り替え時に、出力受信系を、一方の受信系から他方の受信系とする。このとき、一方の受信系は待機受信系となるが、制御部１０１は、この待機受信系で、選局方法、チャネル選択パターン等に基づいて決定されたチャネルが選局されるように制御する。次のチャネル切り替え時に、待機受信系が切り替え後のチャネルを選局している確率が高くなる。そのため、チャネル切り替え時に待機受信系と出力受信系とを切り替えたとき、直ちに切り替え後のチャネルの映像データが得られることが多くなり、従って、チャネル切り替え時に切り替え後のチャネルの映像が表示されるまでの時間をかなりの確率で短縮できる。【選択図】図１
2008306312.tif 000002
【特許請求の範囲】
【請求項１】
デジタル放送信号を受信して映像データを得る複数の受信系と、
上記複数の受信系で得られる映像データを選択的に出力する出力部と、
上記複数の受信系の選局動作および上記出力部の選択動作を制御する制御部とを備え、
上記制御部は、チャネル切り替え時には、
上記出力部が出力する映像データが一の受信系で得られる映像データから他の受信系で得られる映像データとなるように制御すると共に、
上記他の受信系以外の受信系で、少なくとも、選局方法あるいはチャネル選択パターンに基づいて決定された、上記他の受信系で選局されているチャネルとは異なるチャネルが選局されるように制御する
ことを特徴とするデジタル放送受信装置。
【請求項２】
上記複数の受信系として２つの受信系を有し、
上記制御部は、チャネル切り替え時には、
上記出力部が出力する映像データが一方の受信系で得られる映像データから他方の受信系で得られる映像データとなるように制御すると共に、
上記他方の受信系で選局されているチャネルが交互に選局されている２つのチャネルのうちの一方のチャネルである場合、上記一方の受信系が上記２つのチャネルのうちの他方のチャネルを選局するように制御する
ことを特徴とする請求項１に記載のデジタル放送受信装置。
【請求項３】
上記制御部は、チャネル切り替え時には、
上記他方の受信系で選局されているチャネルが交互に選局されている２つのチャネルのうちの一方のチャネルでない場合、上記一方の受信系で、選局方法に基づいて決定されたチャネルが選局されるように制御する
ことを特徴とする請求項２に記載のデジタル放送受信装置。
【請求項４】
各チャネルの過去に選択された回数を記憶するテーブルをさらに備え、
上記制御部は、
上記選局方法が、各チャネルを直接選択するダイレクト釦による方法であるとき、上記一方の受信系で選局されるチャネルを、上記テーブルに基づいて決定する
ことを特徴とする請求項３に記載のデジタル放送受信装置。
【請求項５】
上記制御部は、
上記選局方法が、ひとつ後のチャネルを選択するアップ釦による方法であるとき、上記一方の受信機で選局されるチャネルを、上記他方の受信系で選局されるチャネルのひとつ後のチャネルに決定する
ことを特徴とする請求項３に記載のデジタル放送受信装置。
【請求項６】
上記制御部は、
上記選局方法が、ひとつ前のチャネルを選択するダウン釦による方法であるとき、上記一方の受信機で選局されるチャネルを、上記他方の受信系で選局されるチャネルのひとつ前のチャネルに決定する
ことを特徴とする請求項３に記載のデジタル放送受信装置。
【請求項７】
上記複数の受信系として２つの受信系を有し、
上記制御部は、チャネル切り替え時には、
上記出力部が出力する映像データが一方の受信系で得られる映像データから他方の受信系で得られる映像データとなるように制御すると共に、
上記一方の受信系で、選局方法に基づいて決定されたチャネルが選局されるように制御する
ことを特徴とする請求項１に記載のデジタル放送受信装置。
【請求項８】
各チャネルの過去に選択された回数を記憶するテーブルをさらに備え、
上記制御部は、
上記選局方法が、各チャネルを直接選択するダイレクト釦による方法であるとき、上記一方の受信で選局されるチャネルを、上記テーブルに基づいて決定する
ことを特徴とする請求項７に記載のデジタル放送受信装置。
【請求項９】
上記制御部は、
上記選局方法が、ひとつ後のチャネルを選択するアップ釦による方法であるとき、上記一方の受信機で選局されるチャネルを、上記他方の受信系で選局されるチャネルのひとつ後のチャネルに決定する
ことを特徴とする請求項７に記載のデジタル放送受信装置。
【請求項１０】
上記制御部は、
上記選局方法が、ひとつ前のチャネルを選択するダウン釦による方法であるとき、上記一方の受信機で選局されるチャネルを、上記他方の受信系で選局されるチャネルのひとつ前のチャネルに決定する
ことを特徴とする請求項７に記載のデジタル放送受信装置。
【請求項１１】
上記制御部は、電源オン時には、
一の受信系で前回チャネルが選局され、上記出力部が該一の受信系で得られる映像データを出力するように制御すると共に、
上記一の受信系以外の受信系で前回の選局方法に基づいて決定されたチャネルが選局されるように制御する
ことを特徴とする請求項１に記載のデジタル放送受信装置。
【請求項１２】
上記選局方法を設定するユーザ操作部をさらに備える
ことを特徴とする請求項１に記載のデジタル放送受信装置。
【請求項１３】
デジタル放送信号を受信して映像データを得る複数の受信系と、
上記複数の受信系で得られる映像データを選択的に出力する出力部と、
上記複数の受信系の選局動作および上記出力部の選択動作を制御する制御部とを備えるデジタル放送受信装置のチャネル切り替え制御方法であって、
上記出力部が出力する映像データが一の受信系で得られる映像データから他の受信系で得られる映像データとなるように制御する出力切り替えステップと、
上記他の受信系以外の受信系が、少なくとも、選局方法あるいはチャネル選択パターンに基づいて決定された、上記他の受信系で選局されているチャネルとは異なるチャネルを選局するように制御する選局ステップと
を有することを特徴とするチャネル切り替え制御方法。
【発明の詳細な説明】
【技術分野】
【０００１】
この発明は、デジタル放送受信装置およびそのチャネル切り替え制御方法に関する。詳しくは、この発明は、デジタル放送信号を受信して映像データを得る複数の受信系を備え、チャネル切り替え時に、出力される映像データを一の受信系で得られる映像データから他の受信系で得られる映像データに切り替えると共に、他の受信系以外の受信系で、選局方法あるいはチャネル選択パターンに基づいて決定された、当該他の受信系で選局されているチャネルとは異なるチャネルを選局させることにより、チャネル切り替え時に切り替え後のチャネルの映像が表示されるまでの時間を短縮可能としたデジタル放送受信装置およびそのチャネル切り替え制御方法に係るものである。
【背景技術】
【０００２】
デジタル放送として、ＢＳ（BroadcastingSatellite）デジタル放送、ＣＳ（Communications Satellite）デジタル放送、地上波デジタル放送等がある。図１２は、従来のデジタル放送受信装置２００の構成例を示している。このデジタル放送受信装置２００は、ＢＳデジタル放送、１１０度ＣＳデジタル放送および地上波デジタル放送を受信できる。
【０００３】
このデジタル放送受信装置２００は、制御部２０１と、リモートコントロール信号（以下、「リモコン信号」という）の受信部２０２と、復調ブロック２０３と、デコーダブロック２０４と、映像出力端子２０５と、音声出力端子２０６とを有している。
【０００４】
制御部２０１は、デジタル放送受信装置２００の各部の動作を制御する。リモコン信号の受信部２０２は、ユーザインタフェースを構成しており、リモコン信号の送信機（コマンダ）２０７からの、赤外線等によるリモコン信号を受信する。この受信部２０２は、制御部２０１に接続されており、受信したリモコン信号に対応したユーザ操作信号を制御部２０１に供給する。
【０００５】
復調ブロック２０３は、ＢＳ／１１０度ＣＳチューナ２１１と、ＱＰＳＫ(Quadrature Phase Shift Keying)復調部２１２と、地上デジタルチューナ２１３と、ＯＦＤＭ(orthogonal frequency division multiplex)復調部２１４とを有している。この復調ブロック２０３は、１個の半導体チップで構成される。
【０００６】
ＢＳ／１１０度ＣＳチューナ２１１には、ＢＳデジタル放送および１１０度ＣＳデジタル放送を受信するためのＳＨＦアンテナ２１０が接続されている。ＳＨＦアンテナ２０８で受信された放送信号は、図示しないＬＮＢ(Low Noise Block)コンバータで１ＧＨｚ帯の中間周波信号に変換された後に、チューナ２１１に供給される。チューナ２１１は、１ＧＨｚ帯の中間周波信号に対して選局処理を行って、所定のチャネルのＩ信号およびＱ信号を例えばダイレクトコンバージョン方式で得る。ＱＰＳＫ復調部２１２は、ＢＳ／１１０度ＣＳチューナ２１１で得られるＩ信号およびＱ信号に対して復調および誤り訂正の処理を行って、ＭＰＥＧ(Moving Picture Expert Group)のトランスポートストリームＴＳ１を得る。
【０００７】
地上デジタルチューナ２１３には、地上波デジタル放送を受信するためのＵＨＦアンテナ２０９が接続されている。ＵＨＦアンテナ２０９で受信された放送信号は、チューナ２１３に供給される。チューナ２１３は、放送信号に対して選局処理を行って、所定のチャネルのＯＦＤＭ信号（中間周波信号）を得る。ＯＦＤＭ復調部２１４は、地上デジタルチューナ２１３で得られるＯＦＤＭ信号に対して復調および誤り訂正の処理を行って、ＭＰＥＧのトランスポートストリームＴＳ２を得る。
【０００８】
なお、上述した復調ブロック２０３において、ＢＳデジタル放送あるいは１１０度ＣＳデジタル放送の受信時にはＢＳ／１１０度ＣＳチューナ２１１およびＱＰＳＫ復調部２１２が動作状態となり、地上波デジタル放送の受信時には地上デジタルチューナ２１３およびＯＦＤＭ復調部２１４が動作状態となる。
【０００９】
デコーダブロック２０４は、デマルチプレクサ２２１と、ビデオデコーダ２２２と、映像・グラフィックス処理部２２３と、フォーマットコンバータ２２４と、オーディオデコーダ２２５と、Ｄ／Ａコンバータ２２６とを有している。このデコーダブロック２０４は、１個の半導体チップで構成される。
【００１０】
デマルチプレクサ２２１には、ＢＳデジタル放送あるいは１１０度ＣＳデジタル放送の受信時には、復調ブロック２０３のＱＰＳＫ復調部２１２で得られるトランスポートストリームＴＳ１が供給される。また、デマルチプレクサ２２１には、地上波デジタル放送の受信時には、復調ブロック２０３のＯＦＤＭ復調部２１４で得られるトランスポートストリームＴＳ２が供給される。
【００１１】
デマルチプレクサ２２１は、トランスポートストリームに含まれている映像データ、音声データ、ＳＩ(Service Information)データのＴＳパケットを分離する。ここで、映像データのＴＳパケットにより映像ＰＥＳ(Packetized Elementarty Stream)パケットが構成される。また、音声データのＴＳパケットにより音声ＰＥＳパケットが構成される。また、ＳＩデータは、ＥＰＧ（Electric Program Guide：電子番組表）を表示するためのデータである。
【００１２】
ビデオデコーダ２２２は、デマルチプレクサ２２１で得られる映像ＰＥＳパケットに対してデコード処理を行って、映像データを得る。映像・グラフィックス処理部２２３は、ビデオデコーダ２２２で得られる映像データに対して、必要に応じてマルチ画面処理、グラフィックスデータの重畳処理等を行う。フォーマットコンバータ２２４は、映像・グラフィックス処理部２２３から出力される映像データに対して各種フォーマット変換処理を行い、処理後の映像データを映像出力端子２０５に出力する。
【００１３】
オーディオデコーダ２２５は、デマルチプレクサ２２１で得られる音声ＰＥＳパケットに対してデコード処理を行って、音声データを得る。Ｄ／Ａコンバータ２２６は、オーディオデコーダ２２５で得られる音声データを、デジタル信号からアナログ信号に変換して、音声出力端子２０６に出力する。
【００１４】
図１２に示すデジタル放送受信装置２００の動作を簡単に説明する。
最初に、ＢＳデジタル放送あるいは１１０度ＣＳデジタル放送の受信時における動作について説明する。
【００１５】
ＳＨＦアンテナ２０８で受信された放送信号は、図示しないＬＮＢコンバータで１ＧＨｚ帯の中間周波信号に変換された後に、復調ブロック２０３のＢＳ／１１０度ＣＳチューナ２１１に供給される。このチューナ２１１では、１ＧＨｚ帯の中間周波信号に対して選局処理が行われ、ユーザが選択した所定のチャネル（選局チャネル）のＩ信号およびＱ信号が得られる。
【００１６】
チューナ２１１で得られるＩ信号およびＱ信号は、ＱＰＳＫ復調部２１２に供給される。このＱＰＳＫ復調部２１２では、Ｉ信号およびＱ信号に対して復調および誤り訂正の処理が行われて、ＭＰＥＧのトランスポートストリームＴＳ１が得られる。
【００１７】
復調ブロック２０３のＱＰＳＫ復調部２１２で得られるトランスポートストリームＴＳ１は、デコーダブロック２０４のデマルチプレクサ２２１に供給される。このデマルチプレクサ２２１では、トランスポートストリームＴＳ１に含まれている映像データ、音声データ、ＳＩデータのＴＳパケットが分離される。ＳＩデータは、ＥＰＧを表示するために使用される。
【００１８】
デマルチプレクサ２２１で得られる映像ＰＥＳパケット（分離された映像データのＴＳパケットで構成される）は、ビデオデコーダ２２２に供給される。このビデオデコーダ２２２では、映像ＰＥＳパケットに対してデコード処理が行われ、映像データが得られる。この映像データは、映像・グラフィックス処理部２２３で必要に応じてマルチ画面処理、グラフィックスデータの重畳処理等が行われた後、フォーマットコンバータ２２４で所望の出力フォーマットに変換されて、映像出力端子２０５に出力される。
【００１９】
また、デマルチプレクサ２２１で得られる音声ＰＥＳパケット（分離された音声データのＴＳパケットで構成される）は、オーディオデコーダ２２５に供給される。このオーディオデコーダ２２５では、音声ＰＥＳパケットに対してデコード処理が行われ、音声データが得られる。この音声データは、Ｄ／Ａコンバータ２２６でデジタル信号からアナログ信号に変換されて、音声出力端子２０６に出力される。
【００２０】
このように、ＢＳデジタル放送あるいは１１０度ＣＳデジタル放送の受信時には、映像出力端子２０５にチューナ２１１で選局されたチャネルの映像データが得られ、音声出力端子２０６にチューナ２１１で選局されたチャネルの音声信号が得られる。
【００２１】
次に、地上波デジタル放送の受信時における動作について説明する。
ＵＨＦアンテナ２０９で受信された放送信号は、復調ブロック２０３の地上デジタルチューナ２１３に供給される。このチューナ２１３では、放送信号に対して選局処理が行われ、ユーザが選択した所定のチャネル（選局チャネル）のＯＦＤＭ信号（中間周波信号）が得られる。
【００２２】
チューナ２１３で得られるＯＦＤＭ信号は、ＯＦＤＭ復調部２１４に供給される。このＯＦＤＭ復調部２１４では、ＯＦＤＭ信号に対して復調および誤り訂正の処理が行われて、ＭＰＥＧのトランスポートストリームＴＳ２が得られる。
【００２３】
復調ブロック２０３のＯＦＤＭ復調部２１４で得られるトランスポートストリームＴＳ２は、デコーダブロック２０４のデマルチプレクサ２２１に供給される。このデマルチプレクサ２２１では、トランスポートストリームＴＳ２に含まれている映像データ、音声データ、ＳＩデータのＴＳパケットが分離される。ＳＩデータは、ＥＰＧを表示するために使用される。
【００２４】
デマルチプレクサ２２１で得られる映像ＰＥＳパケット（分離された映像データのＴＳパケットで構成される）は、ビデオデコーダ２２２に供給される。このビデオデコーダ２２２では、映像ＰＥＳパケットに対してデコード処理が行われ、映像データが得られる。この映像データは、映像・グラフィックス処理部２２３で必要に応じてマルチ画面処理、グラフィックスデータの重畳処理等が行われた後、フォーマットコンバータ２２４で所望の出力フォーマットに変換されて、映像出力端子２０５に出力される。
【００２５】
また、デマルチプレクサ２２１で得られる音声ＰＥＳパケット（分離された音声データのＴＳパケットで構成される）は、オーディオデコーダ２２５に供給される。このオーディオデコーダ２２５では、音声ＰＥＳパケットに対してデコード処理が行われ、音声データが得られる。この音声データは、Ｄ／Ａコンバータ２２６でデジタル信号からアナログ信号に変換されて、音声出力端子２０６に出力される。
【００２６】
このように、地上波デジタル放送の受信時には、映像出力端子２０５にチューナ２１３で選局されたチャネルの映像データが得られ、音声出力端子２０６にチューナ２１３で選局されたチャネルの音声信号が得られる。
【００２７】
図１２に示すデジタル放送受信装置２００において、ビデオデコーダ２２２では、ＭＰＥＧ符号化信号の復号化が行われることから、デコード処理に時間がかかる。そのため、チャネル切り替え時には、ユーザが選局操作をしてから、ビデオデコーダ２２２から切り替え後のチャネルの映像データが出力され、切り替え後のチャネルの映像が表示されるまで、数秒のタイムラグが発生する。
【００２８】
そのため、図１２に示すデジタル放送受信装置２００においては、ユーザがチャネル切り替え操作をした後数秒の間映像が表示されない不安定な状態とる。また、図１２に示すデジタル放送受信装置２００においては、従来のアナログ放送の受信時に使用されていた、短い間隔でチャネルを切り替える、いわゆる「ザッピング」の使用は事実上不可能であった。
【００２９】
例えば、特許文献１には、２つの受信系（チューナ、デコーダ）を備え、第１の受信系で得られる映像データを出力している状態で、チャネル切り替え操作があった場合、第１の受信系の映像データを出力する状態を維持し続け、第２の受信系で切り替え後のチャネルの映像データが得られるようになってから、当該第２の受信系で得られる映像データを出力する状態に切り替えること、さらに、チャネル切り替え操作があってから第２の受信系の出力映像データに切り替えるまでの間、輝度を低下させること、が記載されている。
【特許文献１】特開２００７−１３５４２３号公報
【発明の開示】
【発明が解決しようとする課題】
【００３０】
上述の特許文献１に記載される技術では、チャネル切り替え操作があった場合、第２の受信系で切り替え後のチャネルの映像データが得られるまで、第１の受信系の映像データを出力する状態を維持し続けるので、チャネル切り替え操作時に映像が表示されない不安定な状態は発生せず、また、輝度を低下させることから、チャネル切り替えの動作が行われていることを、ユーザに認識させることができる。
【００３１】
しかし、上述の特許文献１に記載される技術では、チャネル切り替え操作があった後に第２の受信系で切り替え後のチャネルの受信動作が開始されるので、第２の受信系で切り替え後のチャネルの映像データが得られ、切り替え後のチャネルの映像が表示されるまで、数秒のタイムラグが発生する。
【００３２】
この発明の目的は、チャネル切り替え時に切り替え後のチャネルの映像が表示されるまでの時間を短縮することにある。
【課題を解決するための手段】
【００３３】
この発明の概念は、
デジタル放送信号を受信して映像データを得る複数の受信系と、
上記複数の受信系で得られる映像データを選択的に出力する出力部と、
上記複数の受信系の選局動作および上記出力部の選択動作を制御する制御部とを備え、  上記制御部は、チャネル切り替え時には、  上記出力部が出力する映像データが一の受信系で得られる映像データから他の受信系で得られる映像データとなるように制御すると共に、
上記他の受信系以外の受信系で、少なくとも、選局方法あるいはチャネル選択パターンに基づいて決定された、上記他の受信系で選局されているチャネルとは異なるチャネルが選局されるように制御する
ことを特徴とするデジタル放送受信装置にある。
【００３４】
この発明において、チャネル切り替え時には、制御部の制御のもと、出力部から出力される映像データは一の受信系で得られる映像データから他の受信系で得られる映像データとされ、切り替え後のチャネルの映像データが出力される状態とされる。この場合、一の受信系以外の受信系に切り替え後のチャネルが選局されている受信系があるときは、他の受信系としてその受信系が選択される。また、一の受信系以外の受信系に切り替え後のチャネルが選局されている受信系がないときは、他の受信系としていずれかの受信系が選択されると共に、その受信系は切り替え後のチャネルを選択するように制御される。
【００３５】
また、チャネル切り替え時には、制御部の制御のもと、上述したように選択された他の受信系（出力受信系）以外の受信系（待機受信系）は、少なくとも、選局方法あるいはチャネル選択パターンに基づいて決定された、他の受信系で選局されているチャネルとは異なるチャネルを選局するように制御される。
【００３６】
このように、他の受信系以外の受信系（待機受信系）で、選局方法、チャネル選択パターン等に基づいて決定されたチャネルが選局されることで、次のチャネル切り替え時に、待機受信系の中に切り替え後のチャネルを選局している受信系が存在する確率が高くなる。従って、この発明においては、チャネル切り替え時に、切り替え後のチャネルの映像が表示されるまでの時間を短縮することが可能となる。
【００３７】
ここで、選局方法には、各チャネルを直接選択するダイレクト釦による方法、ひとつ後のチャネルを選択するアップ釦による方法、ひとつ前のチャネルを選択するダウン釦による方法等がある。また、選局パターンには、２つのチャネルを交互に選局するパターン等がある。
【００３８】
この発明において、例えば、複数の受信系として２つの受信系を有し、制御部は、チャネル切り替え時には、出力部が出力する映像データが一方の受信系で得られる映像データから他方の受信系で得られる映像データとなるように制御すると共に、他方の受信系で選局されているチャネルが交互に選局されている２つのチャネルのうちの一方のチャネルである場合、一方の受信系で、２つのチャネルのうちの他方のチャネルが選局されるように制御するものとされる。これにより、次のチャネル切り替え時に、待機受信系の中に切り替え後のチャネルを選局している受信系が存在する確率が高くなる。
【００３９】
この場合、制御部は、他方の受信系で選局されているチャネルが交互に選局されている２つのチャネルのうちの一方のチャネルでない場合、例えば、一方の受信系で、選局方法に基づいて決定されたチャネルが選局されるように制御するものとされる。これにより、次のチャネル切り替え時に、待機受信系の中に切り替え後のチャネルを選局している受信系が存在する確率が高くなる。
【００４０】
例えば、各チャネルの過去に選択された回数を記憶するテーブル（チャネル選択頻度テーブル）をさらに備え、制御部は、選局方法が、各チャネルを直接選択するダイレクト釦による方法であるとき、一方の受信系で選局されるチャネルをテーブルに基づいて決定するものとされる。この場合、一方の受信系で選局されるチャネルは、例えば、過去に選択された回数が最も多いチャネルとされるが、このチャネルが他方の受信系で選局されている場合には、過去に選択された回数が次に多いチャネルとされる。
【００４１】
また、例えば、制御部は、選局方法が、ひとつ後のチャネルを選択するアップ釦による方法であるとき、一方の受信機で選局されるチャネルを、他方の受信系で選局されるチャネルのひとつ後のチャネルに決定するものとされる。また、例えば、制御部は、選局方法が、ひとつ前のチャネルを選択するダウン釦による方法であるとき、一方の受信機で選局されるチャネルを、他方の受信系で選局されるチャネルのひとつ前のチャネルに決定するものとされる。
【００４２】
この発明において、例えば、複数の受信系として２つの受信系を有し、制御部は、チャネル切り替え時には、出力部が出力する映像データが一方の受信系で得られる映像データから他方の受信系で得られる映像データとなるように制御すると共に、一方の受信系で、選局方法（ダイレクト釦による方法、アップ釦による方法、ダウン釦による方法）に基づいて決定されたチャネルが選局されるように制御するものとされる。これにより、次のチャネル切り替え時に、待機受信系の中に切り替え後のチャネルを選局している受信系が存在する確率が高くなる。
【００４３】
この発明において、例えば、制御部は、電源オン時には、一の受信系で前回チャネルが選局され、出力部が該一の受信系で得られる映像データを出力するように制御すると共に、一の受信系以外の受信系で前回の選局方法に基づいて決定されたチャネルが選局されるように制御するものとされる。これにより、次のチャネル切り替え時に、待機受信系の中に切り替え後のチャネルを選局している受信系が存在する確率が高くなる。
【００４４】
この発明において、例えば、選局方法を設定するユーザ操作部をさらに備えるようにされてもよい。この場合、選局方法が設定されることで、次のチャネル切り替え時において、待機受信系の中に切り替え後のチャネルを選局している受信系が存在する確率が、さらに高くなる。
【発明の効果】
【００４５】
この発明によれば、デジタル放送信号を受信して映像データを得る複数の受信系を備え、チャネル切り替え時に、出力される映像データを一の受信系で得られる映像データから他の受信系で得られる映像データに切り替えると共に、他の受信系以外の受信系で、選局方法あるいはチャネル選択パターンに基づいて決定された、当該他の受信系で選局されているチャネルとは異なるチャネルを選局させるものであり、チャネル切り替え時に切り替え後のチャネルの映像が表示されるまでの時間を短縮できる。
【発明を実施するための最良の形態】
【００４６】
以下、図面を参照しながら、この発明の実施の形態について説明する。図１は、実施の形態としてのデジタル放送受信装置１００の構成例を示している。このデジタル放送受信装置１００は、ＢＳデジタル放送、１１０度ＣＳデジタル放送および地上波デジタル放送を受信できる。
【００４７】
このデジタル放送受信装置１００は、制御部１０１と、リモートコントロール信号（以下、「リモコン信号」という）の受信部１０２と、復調ブロック１０３Ａ，１０３Ｂと、デコーダブロック１０４Ａ，１０４Ｂと、セレクタ１０５と、映像出力端子１０６と、音声出力端子１０７とを有している。
【００４８】
制御部１０１は、デジタル放送受信装置１００の各部の動作を制御する。リモコン信号の受信部１０２は、ユーザインタフェースを構成しており、リモコン信号の送信機（コマンダ）１０８からの、赤外線等によるリモコン信号を受信する。この受信部１０２は、制御部１０１に接続されており、受信したリモコン信号に対応したユーザ操作信号を制御部１０１に供給する。
【００４９】
復調ブロック１０３Ａは、ＢＳ／１１０度ＣＳチューナ１１１と、ＱＰＳＫ(Quadrature Phase Shift Keying)復調部１１２と、地上デジタルチューナ１１３と、ＯＦＤＭ(orthogonal frequency division multiplex)復調部１１４とを有している。この復調ブロック１０３Ａは、１個の半導体チップで構成される。
【００５０】
ＢＳ／１１０度ＣＳチューナ１１１には、ＢＳデジタル放送および１１０度ＣＳデジタル放送を受信するためのＳＨＦアンテナ（パラボラアンテナ）１０９が接続されている。ＳＨＦアンテナ１０９で受信された放送信号は、図示しないＬＮＢ(Low Noise Block)コンバータで１ＧＨｚ帯の中間周波信号に変換された後に、チューナ１１１に供給される。チューナ１１１は、１ＧＨｚ帯の中間周波信号に対して選局処理を行って、所定のチャネルのＩ信号およびＱ信号を例えばダイレクトコンバージョン方式で得る。ＱＰＳＫ復調部１１２は、ＢＳ／１１０度ＣＳチューナ１１１で得られるＩ信号およびＱ信号に対して復調および誤り訂正の処理を行って、ＭＰＥＧ(Moving Picture Expert Group)のトランスポートストリームＴＳ１を得る。
【００５１】
地上デジタルチューナ１１３には、地上波デジタル放送を受信するためのＵＨＦアンテナ１１０が接続されている。ＵＨＦアンテナ１１０で受信された放送信号は、チューナ１１３に供給される。チューナ１１３は、放送信号に対して選局処理を行って、所定のチャネルのＯＦＤＭ信号（中間周波信号）を得る。ＯＦＤＭ復調部１１４は、地上デジタルチューナ１１３で得られるＯＦＤＭ信号に対して復調および誤り訂正の処理を行って、ＭＰＥＧのトランスポートストリームＴＳ２を得る。
【００５２】
なお、上述した復調ブロック１０３Ａにおいて、ＢＳデジタル放送あるいは１１０度ＣＳデジタル放送の受信時にはＢＳ／１１０度ＣＳチューナ１１１およびＱＰＳＫ復調部１１２が動作状態となり、地上波デジタル放送の受信時には地上デジタルチューナ１１３およびＯＦＤＭ復調部１１４が動作状態となる。
【００５３】
デコーダブロック１０４Ａは、デマルチプレクサ１２１と、ビデオデコーダ１２２と、映像・グラフィックス処理部１２３と、フォーマットコンバータ１２４と、オーディオデコーダ１２５と、Ｄ／Ａコンバータ１２６とを有している。このデコーダブロック１０４Ａは、１個の半導体チップで構成される。
【００５４】
デマルチプレクサ１２１には、ＢＳデジタル放送あるいは１１０度ＣＳデジタル放送の受信時には、復調ブロック１０３ＡのＱＰＳＫ復調部１１２で得られるトランスポートストリームＴＳ１が供給される。また、デマルチプレクサ１２１には、地上波デジタル放送の受信時には、復調ブロック１０３ＡのＯＦＤＭ復調部１１４で得られるトランスポートストリームＴＳ２が供給される。
【００５５】
デマルチプレクサ１２１は、トランスポートストリームに含まれている映像データ、音声データ、ＳＩ(Service Information)データのＴＳパケットを分離する。ここで、映像データのＴＳパケットにより映像ＰＥＳ(Packetized Elementarty Stream)パケットが構成される。また、音声データのＴＳパケットにより音声ＰＥＳパケットが構成される。また、ＳＩデータは、ＥＰＧ（Electric Program Guide：電子番組表）を表示するためのデータである。
【００５６】
ビデオデコーダ１２２は、デマルチプレクサ１２１で得られる映像ＰＥＳパケットに対してデコード処理を行って、映像データを得る。映像・グラフィックス処理部１２３は、ビデオデコーダ１２２で得られる映像データに対して、必要に応じてマルチ画面処理、グラフィックスデータの重畳処理等を行う。フォーマットコンバータ１２４は、映像・グラフィックス処理部１２３から出力される映像データに対して各種フォーマット変換処理を行い、処理後の映像データＳＶ１を出力する。
【００５７】
オーディオデコーダ１２５は、デマルチプレクサ１２１で得られる音声ＰＥＳパケットに対してデコード処理を行って、音声データを得る。Ｄ／Ａコンバータ１２６は、オーディオデコーダ１２５で得られる音声データを、デジタル信号からアナログ信号に変換して、音声信号ＳＡ１を出力する。
【００５８】
上述の復調ブロック１０３Ａおよびデコーダブロック１０４Ａは、第１の受信系を構成している。この第１の受信系の動作を簡単に説明する。
最初に、ＢＳデジタル放送あるいは１１０度ＣＳデジタル放送の受信時における動作について説明する。
【００５９】
ＳＨＦアンテナ１０９で受信された放送信号は、図示しないＬＮＢコンバータで１ＧＨｚ帯の中間周波信号に変換された後に、復調ブロック１０３ＡのＢＳ／１１０度ＣＳチューナ１１１に供給される。このチューナ１１１では、１ＧＨｚ帯の中間周波信号に対して選局処理が行われ、ユーザが選択した所定のチャネル（選局チャネル）のＩ信号およびＱ信号が得られる。
【００６０】
チューナ１１１で得られるＩ信号およびＱ信号は、ＱＰＳＫ復調部１１２に供給される。このＱＰＳＫ復調部１１２では、Ｉ信号およびＱ信号に対して復調および誤り訂正の処理が行われて、ＭＰＥＧのトランスポートストリームＴＳ１が得られる。
【００６１】
復調ブロック１０３ＡのＱＰＳＫ復調部１１２で得られるトランスポートストリームＴＳ１は、デコーダブロック１０４Ａのデマルチプレクサ１２１に供給される。このデマルチプレクサ１２１では、トランスポートストリームＴＳ１に含まれている映像データ、音声データ、ＳＩデータのＴＳパケットが分離される。ＳＩデータは、ＥＰＧを表示するために使用される。
【００６２】
デマルチプレクサ１２１で得られる映像ＰＥＳパケット（分離された映像データのＴＳパケットで構成される）は、ビデオデコーダ１２２に供給される。このビデオデコーダ１２２では、映像ＰＥＳパケットに対してデコード処理が行われ、映像データが得られる。この映像データは、映像・グラフィックス処理部１２３で必要に応じてマルチ画面処理、グラフィックスデータの重畳処理等が行われた後、フォーマットコンバータ１２４で所望の出力フォーマットに変換されて、デコーダブロック１０４Ａから出力される映像データＳＶ１となる。
【００６３】
また、デマルチプレクサ１２１で得られる音声ＰＥＳパケット（分離された音声データのＴＳパケットで構成される）は、オーディオデコーダ１２５に供給される。このオーディオデコーダ１２５では、音声ＰＥＳパケットに対してデコード処理が行われ、音声データが得られる。この音声データは、Ｄ／Ａコンバータ１２６でデジタル信号からアナログ信号に変換されて、デコーダブロック１０４Ａから出力される音声信号ＳＡ１となる。
【００６４】
このように、ＢＳデジタル放送あるいは１１０度ＣＳデジタル放送の受信時には、デコーダブロック１０４Ａからは、復調ブロック１０３ＡのＢＳ／１１０度ＣＳチューナ１１１で選局されたチャネルの映像データＳＶ１および音声信号ＳＡ１が得られる。
【００６５】
次に、地上波デジタル放送の受信時における動作について説明する。
ＵＨＦアンテナ１１０で受信された放送信号は、復調ブロック１０３Ａの地上デジタルチューナ１１３に供給される。このチューナ１１３では、放送信号に対して選局処理が行われ、ユーザが選択した所定のチャネル（選局チャネル）のＯＦＤＭ信号（中間周波信号）が得られる。
【００６６】
チューナ１１３で得られるＯＦＤＭ信号は、ＯＦＤＭ復調部１１４に供給される。このＯＦＤＭ復調部１１４では、ＯＦＤＭ信号に対して復調および誤り訂正の処理が行われて、ＭＰＥＧのトランスポートストリームＴＳ２が得られる。
【００６７】
復調ブロック１０３ＡのＯＦＤＭ復調部１１４で得られるトランスポートストリームＴＳ２は、デコーダブロック１０４Ａのデマルチプレクサ１２１に供給される。このデマルチプレクサ１２１では、トランスポートストリームＴＳ２に含まれている映像データ、音声データ、ＳＩデータのＴＳパケットが分離される。ＳＩデータは、ＥＰＧを表示するために使用される。
【００６８】
デマルチプレクサ１２１で得られる映像ＰＥＳパケット（分離された映像データのＴＳパケットで構成される）は、ビデオデコーダ１２２に供給される。このビデオデコーダ１２２では、映像ＰＥＳパケットに対してデコード処理が行われ、映像データが得られる。この映像データは、映像・グラフィックス処理部１２３で必要に応じてマルチ画面処理、グラフィックスデータの重畳処理等が行われた後、フォーマットコンバータ１２４で所望の出力フォーマットに変換されて、デコーダブロック１０４Ａから出力される映像データＳＶ１となる。
【００６９】
また、デマルチプレクサ１２１で得られる音声ＰＥＳパケット（分離された音声データのＴＳパケットで構成される）は、オーディオデコーダ１２５に供給される。このオーディオデコーダ１２５では、音声ＰＥＳパケットに対してデコード処理が行われ、音声データが得られる。この音声データは、Ｄ／Ａコンバータ１２６でデジタル信号からアナログ信号に変換されて、デコーダブロック１０４Ａから出力される音声信号ＳＡ１となる。
【００７０】
このように、地上波デジタル放送の受信時には、デコーダブロック１０４Ａからは、復調ブロック１０３Ａの地上デジタルチューナ１１３で選局されたチャネルの映像データＳＶ１および音声信号ＳＡ１が得られる。
【００７１】
復調ブロック１０３Ｂは、詳細説明は省略するが、上述した復調ブロック１０３Ａと同様に構成されている。この復調ブロック１０３Ｂは、上述した復調ブロック１０３Ａと同様に、ＢＳデジタル放送あるいは１１０度ＣＳデジタル放送の受信時には、ＢＳ／１１０度ＣＳチューナ１１１およびＱＰＳＫ復調部１１２が動作状態となり、トランスポートストリームＴＳ１を出力する。また、この復調ブロック１０３Ｂは、上述した復調ブロック１０３Ａと同様に、地上波デジタル放送の受信時には、地上デジタルチューナ１１３およびＯＦＤＭ復調部１１４が動作状態となり、トランスポートストリームＴＳ２を出力する。
【００７２】
デコーダブロック１０４Ｂは、詳細説明は省略するが、上述したデコーダブロック１０４Ａと同様に構成されている。このデコーダブロック１０４Ｂは、上述したデコーダブロック１０４Ａと同様に、ＢＳデジタル放送あるいは１１０度ＣＳデジタル放送の受信時には、復調ブロック１０３ＢのＢＳ／１１０度ＣＳチューナ１１１で選局されたチャネルの映像データＳＶ２および音声信号ＳＡ２を出力する。また、このデコーダブロック１０４Ｂは、上述したデコーダブロック０１４Ａと同様に、地上波デジタル放送の受信時には、復調ブロック１０３Ｂの地上デジタルチューナ１１３で選局されたチャネルの映像データＳＶ２および音声信号ＳＡ２を出力する。
【００７３】
上述の復調ブロック１０３Ｂおよびデコーダブロック１０４Ｂは、第２の受信系を構成している。この第２の受信系の動作については、上述した第１の受信系の動作と同様であるので、その説明は省略する。
【００７４】
セレクタ１０５は、第１の受信系で得られる映像データＳＶ１または第２の受信系（復調ブロック１０３Ｂ、デコーダブロック１０４Ｂ）で得られる映像データＳＶ２を選択的に取り出し、映像出力端子１０６に出力する。また、セレクタ１０５は、第１の受信系で得られる音声信号ＳＡ１または第２の受信系で得られる音声信号ＳＡ２を選択的に取り出し、音声出力端子１０７に出力する。このセレクタ１０５は出力部を構成している。
【００７５】
この場合、セレクタ１０５は、第１の受信系が出力受信系とされる場合には、映像出力端子１０６に第１の受信系で得られる映像データＳＶ１を出力し、音声出力端子１０７に第１の受信系で得られる音声信号ＳＡ１を出力する。また、セレクタ１０５は、第２の受信系が出力受信系とされる場合には、映像出力端子１０６に第２の受信系で得られる映像データＳＶ２を出力し、音声出力端子１０７に第２の受信系で得られる音声信号ＳＡ２を出力する。
【００７６】
図１に示すデジタル放送受信装置１００においては、電源オン時には、第１の受信系（復調ブロック１０３Ａ、デコーダブロック１０４Ａ）が出力受信系とされ、第２の受信系（復調ブロック１０３Ｂ、デコーダブロック１０４Ｂ）は待機受信系とされる。そして、その後、ユーザによるチャネル切り替え操作がある毎に、出力受信系と待機受信系とは交互に逆とされる。そして、セレクタ１０５により、映像出力端子１０６には出力受信系で得られる映像データが出力され、音声出力端子１０６には出力受信系で得られる音声信号が出力される。
【００７７】
なお、このように出力される映像データおよび音声信号は、ＢＳデジタル放送あるいは１１０度ＣＳデジタル放送の受信時には、当該ＢＳデジタル放送あるいは１１０度ＣＳデジタル放送の選局されたチャネルにおける映像データおよび音声信号となり、一方、地上波デジタル放送の受信時には、当該地上波デジタル放送の選局されたチャネルにおける映像データおよび音声信号となる。
【００７８】
図１に示すデジタル放送受信装置１００において、第１の受信系および第２の受信系における選局動作は、制御部１０１の制御により、以下のように行われる。
【００７９】
最初に、電源オン時について説明する。第１の受信系は、復調ブロック１０３Ａで前回のチャネルを選局し、デコーダブロック１０４Ａから当該選局されたチャネルの映像データＳＶ１および音声信号ＳＡ１を出力するように、制御される。ここで、「前回のチャネル」とは、前回の電源オフ時に、出力受信系で選局されていたチャネルを意味する。なお、制御部１０１は、「前回のチャネル」の情報を、内蔵の不揮発性メモリ（図示せず）に保持している。
【００８０】
一方、第２の受信系は、復調ブロック１０３Ｂで前回の選局方法に基づいて決定されたチャネルを選局し、デコーダブロック１０４Ｂから当該選局されたチャネルの映像データＳＶ２および音声信号ＳＡ２を出力するように、制御される。ここで、「前回の選局方法」とは、上述した前回のチャネルに切り替えたときにユーザが使用した方法（各チャネルを直接選択するダイレクト釦による方法、ひとつ後のチャネルを選択するアップ釦による方法、ひとつ前のチャネルを選択するダウン釦による方法）を意味する。なお、制御部１０１は、「前回の選局方法」の情報を、内蔵の不揮発性メモリ（図示せず）に保持している。
【００８１】
例えば、前回の選局方法がダイレクト釦による方法であるときは、第２の受信系で選局されるチャネルは、各チャネルの過去に選択された回数を記憶する、チャネル選択頻度テーブルに基づいて決定される。この場合、第２の受信系で選局されるチャネルは、過去選択された回数が最も多いチャネル（第１の候補チャネル）とされるが、このチャネルが第１の受信系で選局されるチャネルである場合には、過去選択された回数が２番目に多いチャネル（第２の候補チャネル）とされる。
【００８２】
チャネル選択頻度テーブルは、例えば、図１に示すように、制御部１０１内に形成されており、過去選択された回数は、チャネル切り替え操作に対応して、更新される。図２は、チャネル選択頻度テーブルの一例を示している。この例では、「チャネル８」は、過去選択回数が最も多く、第１の候補チャネルとなる。また、この例では、「チャネル７」は、過去選択回数が２番目に多く、第２の候補チャネルとなる。
【００８３】
また、前回の選局方法がアップ釦による方法であるときは、第２の受信系で選局されるチャネルは、第１の受信系で選局されるチャネルのひとつ後のチャネルとされる。さらに、前回の選局方法がダウン釦による方法であるときは、第２の受信系で選局されるチャネルは、第１の受信系で選局されるチャネルのひとつ前のチャネルとされる。
【００８４】
次に、チャネル切り替え時について説明する。出力受信系は、復調ブロックで切り替え後のチャネルを選局し、デコーダブロックから当該選局されたチャネルの映像データおよび音声信号を出力するように、制御される。この場合、制御部１０１は、出力受信系で既に切り替え後のチャネルが選局されている場合にはその状態を維持し、出力受信系で切り替え後のチャネルとは別のチャネルが選局されている場合には選局チャネルを切り替え後のチャネルに変更する。
【００８５】
また、待機受信系は、出力受信系で選局されるチャネルが交互に選局されている２つのチャネルのうちの一方のチャネルである場合、復調ブロックで当該２つのチャネルのうちの他方のチャネルを選局し、デコーダブロックから当該選局されたチャネルの映像データおよび音声信号を出力するように、制御される。
【００８６】
この場合、制御部１０１は、出力受信系のチャネル選局パターンに基づいて、２つのチャネルが交互に選局されているか否かを判断する。制御部１０１は、例えば、出力受信系における現在から過去に遡った４回分の選局チャネルをＣＭ＃(0)，ＣＭ＃(-1)，ＣＭ＃(-2)，ＣＭ＃(-3)とするとき、ＣＭ＃(0)＝ＣＭ＃(-2)，ＣＭ＃(-1)＝ＣＭ＃(-3)を満たすときには、２つのチャネルが交互に選局されているものと判断する。
【００８７】
また、待機受信系は、出力受信系で選局されるチャネルが交互に選局されている２つのチャネルのうちの一方のチャネルでない場合、復調ブロックで、チャネル切り替え時の選局方法に基づいて決定されたチャネルを選局し、デコーダブロックから当該選局されたチャネルの映像データおよび音声信号を出力するように、制御される。ここで、「チャネル切り替え時の選局方法」とは、チャネル切り替え時にユーザが使用した方法（各チャネルを直接選択するダイレクト釦による方法、ひとつ後のチャネルを選択するアップ釦による方法、ひとつ前のチャネルを選択するダウン釦による方法）を意味する。各選局方法でどのように選局チャネルを決定するかについては、上述した電源オン時における場合と同様である。
【００８８】
図３のフローチャートは、電源オン時における、制御部１０１の制御動作を示している。
制御部１０１は、ステップＳＴ１において、処理を開始し、その後、ステップＳＴ２に移る。このステップＳＴ２において、制御部１０１は、第１の受信系（復調ブロック１０３Ａ、デコーダブロック１０４Ａ）に、前回チャネルを選局させる。そして、制御部１０１は、ステップＳＴ３で、第１の受信系の選局チャネルＣＭ＃(0)を記憶する。
【００８９】
次に、制御部１０１は、ステップＳＴ４において、第１の受信系を出力受信系とし、第２の受信系（復調ブロック１０３Ｂ、デコーダブロック１０４Ｂ）を待機受信系とする。この場合、制御部１０１は、セレクタ１０５を制御し、第１の受信系で得られた映像データＳＶ１、音声信号ＳＡ１が映像出力端子１０６、音声出力端子１０７に出力される状態とする。なお、出力受信系は、映像出力端子１０６、音声出力端子１０７に映像データ、音声信号を出力する状態にある受信系を意味している。これに対して、待機受信系は、映像出力端子１０６、音声出力端子１０７に映像データ、音声信号を出力しない状態にある受信系を意味している。
【００９０】
次に、制御部１０１は、ステップＳＴ５において、前回のチャネル選局方法が何かを判断する。ダイレクト釦（Direct釦）による方法であるとき、制御部１０１は、ステップＳＴ６において、チャネル選択頻度テーブルから得られる第１の候補チャネルが第１の受信系の選局チャネルＣＭ＃(0)と同じであるか否かを判断する。同じでないとき、制御部１０１は、ステップＳＴ７において、第２の受信系に、第１の候補チャネルを選局させる。制御部１０１は、ステップＳＴ７の処理の後、ステップＳＴ８において、処理を終了する。
【００９１】
また、上述のステップＳＴ６で同じであるとき、制御部１０１は、ステップＳＴ９において、第２の受信系に、チャネル選択頻度テーブルから得られる第２の候補チャネルを選局させる。制御部１０１は、ステップＳＴ９の処理の後、ステップＳＴ８において、処理を終了する。
【００９２】
また、上述のステップＳＴ５でアップ釦（Ｕｐ釦）による方法であるとき、制御部１０１は、ステップＳＴ１０において、第２の受信系に、第１の受信系が選局しているチャネルのひとつ後のチャネルを選局させる。その後、制御部１０１は、ステップＳＴ８において、処理を終了する。
【００９３】
また、上述のステップＳＴ５でダウン釦（Down釦）による方法であるとき、制御部１０１は、ステップＳＴ１１において、第２の受信系に、第１の受信系が選局しているチャネルのひとつ前のチャネルを選局させる。その後、制御部１０１は、ステップＳＴ８において、処理を終了する。
【００９４】
図４のフローチャートは、チャネル切り替え時における、制御部１０１の制御動作を示している。
制御部１０１は、ステップＳＴ２１において、処理を開始し、その後に、ステップＳＴ２２に移る。このステップＳＴ２２において、制御部１０１は、チャネル切り替え時にユーザが使用した、チャネル切り替え時の選局方法（ダイレクト釦による方法、アップ釦による方法、ダウン釦による方法のいずれか）を記憶する。
【００９５】
次に、制御部１０１は、ステップＳＴ２３において、選局方法がダイレクト釦による方法であるか否かを判断する。ダイレクト釦による方法であるとき、制御部１０１は、ステップＳＴ２４において、ダイレクト釦による選択チャネルが待機受信系の選局チャネルと一致するか否かを判断する。同じであるとき、制御部１０１は、ステップＳＴ２７に移る。一方、同じでないとき、制御部１０１は、ステップＳＴ２６において、待機受信系に選択チャネルを受信させ、その後に、ステップＳＴ２７に移る。
【００９６】
上述のステップＳＴ２３で選局方法がダイレクト釦による方法でないとき、制御部１０１は、ステップＳＴ２８において、アップ釦による方法か否かを判断する。アップ釦による方法であるとき、制御部１０１は、ステップＳＴ２９において、待機受信系の選局チャネルは、出力受信系の選局チャネルのひとつ後のチャネルであるか否かを判断する。ひとつ後のチャネルであるとき、制御部１０１は、ステップＳＴ２７に移る。一方、ひとつ後のチャネルでないとき、制御部１０１は、ステップＳＴ３０において、待機受信系にひとつ後のチャネルを選局させ、その後に、ステップＳＴ２７に移る。
【００９７】
上述のステップＳＴ２８でアップ釦による方法でないとき、つまり、ダウン釦による方法であるとき、制御部１０１は、ステップＳＴ３１において、待機受信系の選局チャネルは、出力受信系の選局チャネルのひとつ前のチャネルであるか否かを判断する。ひとつ前のチャネルであるとき、制御部１０１は、ステップＳＴ２７に移る。一方、ひとつ前のチャネルでないとき、制御部１０１は、ステップＳＴ３２において、待機受信系にひとつ前のチャネルを選局させ、その後に、ステップＳＴ２７に移る。
【００９８】
ステップＳＴ２７において、制御部１０１は、セレクタ１０５を制御し、待機受信系と出力受信系とを切り替える。すなわち、今まで、第１の受信系の映像データＳＶ１、音声信号ＳＡ１を映像出力端子１０６、音声出力端子１０７に出力していた場合には、第２の受信系の映像データＳＶ２、音声信号ＳＡ２を映像出力端子１０６、音声出力端子１０７に出力する状態とする。逆に、今まで、第２の受信系の映像データＳＶ２、音声信号ＳＡ２を映像出力端子１０６、音声出力端子１０７に出力していた場合には、第１の受信系の映像データＳＶ１、音声信号ＳＡ１を映像出力端子１０６、音声出力端子１０７に出力する状態とする。
【００９９】
次に、制御部１０１は、ステップＳＴ３３において、出力受信系の選局チャネルＣＭ＃(0)を記憶する。そして、制御部１０１は、ステップＳＴ３４において、出力受信系の選局チャネルパターンに基づいて、２つのチャネルが交互に選局されているか否かを判断する。制御部１０１は、例えば、出力受信系における現在から過去に遡った４回分の選局チャネルをＣＭ＃(0)，ＣＭ＃(-1)，ＣＭ＃(-2)，ＣＭ＃(-3)とするとき、ＣＭ＃(0)＝ＣＭ＃(-2)，ＣＭ＃(-1)＝ＣＭ＃(-3)を満たすときには、２つのチャネルが交互に選局されているものと判断する。
【０１００】
２つのチャネルが交互に選局されているとき、制御部１０１は、ステップＳＴ３５において、待機受信系にチャネルＣＭ＃(-1)を選局させる。その後、制御部１０１は、ステップＳＴ３６において、処理を終了する。
【０１０１】
また、上述のステップＳＴ３４で２つのチャネルが交互に選局されていないとき、制御部１０１は、ステップＳＴ３７において、切り替え時の選局方法が何かを、上述のステップＳＴ２２で記憶された情報に基づいて判断する。ダイレクト釦（Direct釦）による方法であるとき、制御部１０１は、ステップＳＴ３８において、チャネル選択頻度テーブルから得られる第１の候補チャネルが出力受信系の選局チャネルＣＭ＃(0)と同じであるか否かを判断する。同じでないとき、制御部１０１は、ステップＳＴ３９において、待機受信系に、第１の候補チャネルを選局させる。制御部１０１は、ステップＳＴ３９の処理の後、ステップＳＴ３６において、処理を終了する。
【０１０２】
また、上述のステップＳＴ３８で同じであるとき、制御部１０１は、ステップＳＴ４０において、待機受信系に、チャネル選択頻度テーブルから得られる第２の候補チャネルを選局させる。制御部１０１は、ステップＳＴ４０の処理の後、ステップＳＴ３６において、処理を終了する。
【０１０３】
また、上述のステップＳＴ３７でアップ釦（Ｕｐ釦）による方法であるとき、制御部１０１は、ステップＳＴ４１において、待機受信系に、出力受信系が選局しているチャネルのひとつ後のチャネルを選局させる。その後、制御部１０１は、ステップＳＴ３６において、処理を終了する。
【０１０４】
また、上述のステップＳＴ３７でダウン釦（Down釦）による方法であるとき、制御部１０１は、ステップＳＴ４２において、待機受信系に、出力受信系が選局しているチャネルのひとつ前のチャネルを選局させる。その後、制御部１０１は、ステップＳＴ３６において、処理を終了する。
【０１０５】
なお、図４のフローチャートに示す制御動作では、ステップＳＴ３３の処理の後に、ステップＳＴ３４で、２つのチャネルが交互に選局されているパターンであるか否かを判断し、その結果に応じてその後の処理を行うようになっている。しかし、ステップＳＴ３３の処理の後に、直ちにステップＳＴ３７の処理に移るようにしてもよい。この場合、待機受信系の選局チャネルは、チャネル切り替え時における選局方法のみに基づいて、決定されることとなる。
【０１０６】
以上説明したように、図１に示すデジタル放送受信装置１００においては、電源オン時に、第１の受信系（復調ブロック１０３Ａ、デコーダブロック１０４Ａ）が出力受信系とされ、第２の受信系（復調ブロック１０３Ｂ、デコーダブロック１０４Ｂ）が待機受信系とされ、前回の選局方法に基づいて決定されたチャネルを選局するように制御される。また、図１に示すデジタル放送受信装置１００においては、チャネル切り替え時に、セレクタ１０５が制御されて、待機受信系と出力受信系との切り替えが行われ、待機受信系は、チャネル選局パターンおよびチャネル切り替え時の選局方法に基づいて決定されたチャネルを選局するように制御される。
【０１０７】
そのため、図１に示すデジタル放送受信装置１００においては、次のチャネル切り替え時に、待機受信系が切り替え後のチャネルを選局している確率が高くなり、チャネル切り替え時に待機受信系と出力受信系とを切り替えたとき、直ちに切り替え後のチャネルの映像データが得られることが多くなり、従って、チャネル切り替え時に切り替え後のチャネルの映像が表示されるまでの時間をかなりの確率で短縮できる。
【０１０８】
なお、上述の説明では、ユーザは、チャネル切り替えを行うためにダイレクト釦による方法、アップ釦による方法、ダウン釦による方法のいずれをも使用できるものを示したが、ユーザが、使用する選局方法を、ダイレクト釦による方法、アップ釦による方法、ダウン釦による方法のいずれかに設定することも考えられる。この設定は、例えば、ユーザが、リモコン信号の送信機１０８を操作することで行われる。この場合、送信機１０８は、選局方法を設定するユーザ操作部を構成する。
【０１０９】
このように選局方法が設定される場合、同じ選局方法でチャネル切り替えが行われていくので、上述したように待機受信系の選局チャネルがチャネル切り替え時の選局方法に基づいて決定されるものにあっては、次のチャネル切り替え時において、待機受信系が切り替え後のチャネルを既に選局している確率がさらに高くなる。例えば、アップ釦による方法またはダウン釦による方法に設定される場合には、待機受信系が切り替え後のチャネルを既に選局している確率を１００％にできる。
【０１１０】
図５のフローチャートは、選局方法がダイレクト釦による方法に設定された場合の、電源オン時における、制御部１０１の制御動作を示している。
制御部１０１は、ステップＳＴ５１において、処理を開始し、その後、ステップＳＴ５２に移る。このステップＳＴ５２において、制御部１０１は、第１の受信系（復調ブロック１０３Ａ、デコーダブロック１０４Ａ）に、前回チャネルを選局させる。そして、制御部１０１は、ステップＳＴ５３で、第１の受信系の選局チャネルＣＭ＃(0)を記憶する。
【０１１１】
次に、制御部１０１は、ステップＳＴ５４において、第１の受信系を出力受信系とし、第２の受信系（復調ブロック１０３Ｂ、デコーダブロック１０４Ｂ）を待機受信系とする。この場合、制御部１０１は、セレクタ１０５を制御し、第１の受信系で得られた映像データＳＶ１、音声信号ＳＡ１が映像出力端子１０６、音声出力端子１０７に出力される状態とする。
【０１１２】
次に、制御部１０１は、ステップＳＴ５５において、チャネル選択頻度テーブルから得られる第１の候補チャネルが第１の受信系の選局チャネルＣＭ＃(0)と同じであるか否かを判断する。同じでないとき、制御部１０１は、ステップＳＴ５６において、第２の受信系に、第１の候補チャネルを選局させる。制御部１０１は、ステップＳＴ５６の処理の後、ステップＳＴ５７において、処理を終了する。
【０１１３】
また、上述のステップＳ５５で同じであるとき、制御部１０１は、ステップＳＴ５８において、第２の受信系に、チャネル選択頻度テーブルから得られる第２の候補チャネルを選局させる。制御部１０１は、ステップＳＴ５８の処理の後、ステップＳＴ５７において、処理を終了する。
【０１１４】
図６のフローチャートは、選局方法がダイレクト釦による方法に設定された場合の、チャネル切り替え時における、制御部１０１の制御動作を示している。
制御部１０１は、ステップＳＴ６１において、処理を開始し、その後に、ステップＳＴ６２に移る。このステップＳＴ６２において、制御部１０１は、ダイレクト釦による選択チャネルが待機受信系の選局チャネルと一致するか否かを判断する。同じであるとき、制御部１０１は、ステップＳＴ６３に移る。一方、同じでないとき、制御部１０１は、ステップＳＴ６４において、待機受信系に選択チャネルを受信させ、その後に、ステップＳＴ６３に移る。
【０１１５】
このステップＳＴ６３において、制御部１０１は、セレクタ１０５を制御し、待機受信系と出力受信系とを切り替える。すなわち、今まで、第１の受信系の映像データＳＶ１、音声信号ＳＡ１を映像出力端子１０６、音声出力端子１０７に出力していた場合には、第２の受信系の映像データＳＶ２、音声信号ＳＡ２を映像出力端子１０６、音声出力端子１０７に出力する状態とする。逆に、今まで、第２の受信系の映像データＳＶ２、音声信号ＳＡ２を映像出力端子１０６、音声出力端子１０７に出力していた場合には、第１の受信系の映像データＳＶ１、音声信号ＳＡ１を映像出力端子１０６、音声出力端子１０７に出力する状態とする。
【０１１６】
次に、制御部１０１は、ステップＳＴ６５において、出力受信系の選局チャネルＣＭ＃(0)を記憶する。そして、制御部１０１は、ステップＳＴ６６において、出力受信系の選局チャネルパターンに基づいて、２つのチャネルが交互に選局されているか否かを判断する。制御部１０１は、例えば、出力受信系における現在から過去に遡った４回分の選局チャネルをＣＭ＃(0)，ＣＭ＃(-1)，ＣＭ＃(-2)，ＣＭ＃(-3)とするとき、ＣＭ＃(0)＝ＣＭ＃(-2)，ＣＭ＃(-1)＝ＣＭ＃(-3)を満たすときには、２つのチャネルが交互に選局されているものと判断する。
【０１１７】
２つのチャネルが交互に選局されているとき、制御部１０１は、ステップＳＴ６７において、待機受信系にチャネルＣＭ＃(-1)を選局させる。その後、制御部１０１は、ステップＳＴ６８において、処理を終了する。
【０１１８】
また、上述のステップＳＴ６６で２つのチャネルが交互に選局されていないとき、制御部１０１は、ステップＳＴ６９において、チャネル選択頻度テーブルから得られる第１の候補チャネルが出力受信系の選局チャネルＣＭ＃(0)と同じであるか否かを判断する。同じでないとき、制御部１０１は、ステップＳＴ７０において、待機受信系に、第１の候補チャネルを選局させる。制御部１０１は、ステップＳＴ７０の処理の後、ステップＳＴ６８において、処理を終了する。
【０１１９】
また、上述のステップＳＴ６９で同じであるとき、制御部１０１は、ステップＳＴ７１において、待機受信系に、チャネル選択頻度テーブルから得られる第２の候補チャネルを選局させる。制御部１０１は、ステップＳＴ７１の処理の後、ステップＳＴ６８において、処理を終了する。
【０１２０】
図７のフローチャートは、選局方法がアップ釦による方法に設定された場合の、電源オン時における、制御部１０１の制御動作を示している。
制御部１０１は、ステップＳＴ８１において、処理を開始し、その後、ステップＳＴ８２に移る。このステップＳＴ８２において、制御部１０１は、第１の受信系（復調ブロック１０３Ａ、デコーダブロック１０４Ａ）に、前回チャネルを選局させる。そして、制御部１０１は、ステップＳＴ８３において、第１の受信系を出力受信系とし、第２の受信系（復調ブロック１０３Ｂ、デコーダブロック１０４Ｂ）を待機受信系とする。この場合、制御部１０１は、セレクタ１０５を制御し、第１の受信系で得られた映像データＳＶ１、音声信号ＳＡ１が映像出力端子１０６、音声出力端子１０７に出力される状態とする。
【０１２１】
次に、制御部１０１は、ステップＳＴ８４において、第２の受信系に、第１の受信系が選局しているチャネルのひとつ後のチャネルを選局させる。その後、制御部１０１は、ステップＳＴ８５において、処理を終了する。
【０１２２】
図８のフローチャートは、選局方法がアップ釦による方法に設定された場合の、チャネル切り替え時における、制御部１０１の制御動作を示している。
制御部１０１は、ステップＳＴ９１において、処理を開始し、その後に、ステップＳＴ９２に移る。このステップＳＴ９２において、制御部１０１は、セレクタ１０５を制御し、待機受信系と出力受信系とを切り替える。すなわち、今まで、第１の受信系の映像データＳＶ１、音声信号ＳＡ１を映像出力端子１０６、音声出力端子１０７に出力していた場合には、第２の受信系の映像データＳＶ２、音声信号ＳＡ２を映像出力端子１０６、音声出力端子１０７に出力する状態とする。逆に、今まで、第２の受信系の映像データＳＶ２、音声信号ＳＡ２を映像出力端子１０６、音声出力端子１０７に出力していた場合には、第１の受信系の映像データＳＶ１、音声信号ＳＡ１を映像出力端子１０６、音声出力端子１０７に出力する状態とする。
【０１２３】
次に、制御部１０１は、ステップＳＴ９３において、待機受信系に、出力受信系が選局しているチャネルのひとつ後のチャネルを選局させる。その後、制御部１０１は、ステップＳＴ９４において、処理を終了する。
【０１２４】
図９のフローチャートは、選局方法がダウン釦による方法に設定された場合の、電源オン時における、制御部１０１の制御動作を示している。
制御部１０１は、ステップＳＴ１０１において、処理を開始し、その後、ステップＳＴ１０２に移る。このステップＳＴ１０２において、制御部１０１は、第１の受信系（復調ブロック１０３Ａ、デコーダブロック１０４Ａ）に、前回チャネルを選局させる。そして、制御部１０１は、ステップＳＴ１０３において、第１の受信系を出力受信系とし、第２の受信系（復調ブロック１０３Ｂ、デコーダブロック１０４Ｂ）を待機受信系とする。この場合、制御部１０１は、セレクタ１０５を制御し、第１の受信系で得られた映像データＳＶ１、音声信号ＳＡ１が映像出力端子１０６、音声出力端子１０７に出力される状態とする。
【０１２５】
次に、制御部１０１は、ステップＳＴ１０４において、第２の受信系に、第１の受信系が選局しているチャネルのひとつ前のチャネルを選局させる。その後、制御部１０１は、ステップＳＴ１０５において、処理を終了する。
【０１２６】
図１０のフローチャートは、選局方法がダウン釦による方法に設定された場合の、チャネル切り替え時における、制御部１０１の制御動作を示している。
制御部１０１は、ステップＳＴ１１１において、処理を開始し、その後に、ステップＳＴ１１２に移る。このステップＳＴ１１２において、制御部１０１は、セレクタ１０５を制御し、待機受信系と出力受信系とを切り替える。すなわち、今まで、第１の受信系の映像データＳＶ１、音声信号ＳＡ１を映像出力端子１０６、音声出力端子１０７に出力していた場合には、第２の受信系の映像データＳＶ２、音声信号ＳＡ２を映像出力端子１０６、音声出力端子１０７に出力する状態とする。逆に、今まで、第２の受信系の映像データＳＶ２、音声信号ＳＡ２を映像出力端子１０６、音声出力端子１０７に出力していた場合には、第１の受信系の映像データＳＶ１、音声信号ＳＡ１を映像出力端子１０６、音声出力端子１０７に出力する状態とする。
【０１２７】
次に、制御部１０１は、ステップＳＴ１１３において、待機受信系に、出力受信系が選局しているチャネルのひとつ前のチャネルを選局させる。その後、制御部１０１は、ステップＳＴ１１４において、処理を終了する。
【０１２８】
上述したように、選局方法が設定される場合、電源オン時およびチャネル切り替え時における制御部１０１の制御動作は簡単となり、制御部の負荷を軽減できる。
【０１２９】
なお、図１に示すデジタル放送受信装置１００においては、第１の受信系を構成する復調ブロック１０３Ａと第２の受信系を構成する復調ブロック１０３Ｂとが別個の半導体チップで構成されるものを示したが、これらを１つの半導体チップで構成することも考えられる。また、図１に示すデジタル放送受信装置１００においては、第１の受信系を構成するデコーダブロック１０４Ａと第２の受信系を構成する復調ブロック１０４Ｂとが別個の半導体チップで構成されるものを示したが、これらを１つの半導体チップで構成することも考えられる。
【０１３０】
図１１は、この発明の他の実施の形態としてのデジタル放送受信装置１００Ａの構成例を示している。この図１１において、図１と対応する部分には同一符号を付し、その詳細説明は省略する。
【０１３１】
このデジタル放送受信装置１００Ａは、制御部１０１と、リモコン信号の受信部１０２と、復調ブロック１０３と、デコーダブロック１０４と、セレクタ１０５と、映像出力端子１０６と、音声出力端子１０７とを有している。
【０１３２】
復調ブロック１０３は、２つのＢＳ／１１０度ＣＳチューナ１１１と、２つのＱＰＳＫ復調部１１２と、２つの地上デジタルチューナ１１３と、２つのＯＦＤＭ復調部１１４とを有している。この復調ブロック１０３は、図１のデジタル放送受信装置１００における復調ブロック１０３Ａ，１０３Ｂに対応しており、１つの半導体チップで構成されている。
【０１３３】
また、デコーダブロック１０４は、デマルチプレクサ１２１Ｃと、ビデオデコーダ１２２Ｃと、映像・グラフィックス処理部１２３Ｃと、フォーマットコンバータ１２４Ｃと、オーディオデコーダ１２５Ｃと、Ｄ／Ａコンバータ１２６Ｃとを有している。このデコーダブロック１０４は、図１のデジタル放送受信装置１００におけるデコーダブロック１０４Ａ，１０４Ｂに対応しており、１つの半導体チップで構成されている。
【０１３４】
なお、デコーダブロック１０４を構成するデマルチプレクサ１２１Ｃ、ビデオデコーダ１２２Ｃ、映像・グラフィックス処理部１２３Ｃ、フォーマットコンバータ１２４Ｃ、オーディオデコーダ１２５ＣおよびＤ／Ａコンバータ１２６Ｃは、それぞれ、２系統の信号処理を並行して行う。
【０１３５】
詳細説明は省略するが、図１１に示すデジタル放送受信装置１００Ａにおいても、図１に示すデジタル放送受信装置１００と同様に動作し、同様の作用効果を得ることができる。
【０１３６】
なお、上述の実施の形態においては、２つの受信系を備えるものを示したが、３つ以上の受信系を備えるものも同様に考えることができる。
この場合、電源オン時には、一の受信系で前回チャネルが選局され、出力する映像データおよび音声信号が一の受信系で得られる映像データから他の受信系で得られる映像データとなるように制御されると共に、当該一の受信系以外の受信系で前回の選局方法に基づいて決定されたチャネルが選局されるように制御される。
【０１３７】
また、この場合、チャネル切り替え時には、出力する映像データおよび音声信号が一の受信系で得られる映像データから他の受信系で得られる映像データとなるように制御されると共に、他の受信系以外の受信系で、少なくとも、選局方法あるいはチャネル選択パターンに基づいて決定された、他の受信系で選局されているチャネルとは異なるチャネルが選局されるように制御される。
【産業上の利用可能性】
【０１３８】
この発明は、チャネル切り替え時に切り替え後のチャネルの映像が表示されるまでの時間を短縮できるものであり、ＢＳデジタル放送、ＣＳデジタル放送、地上波デジタル放送等を受信するデジタル放送受信装置に適用できる。
【図面の簡単な説明】
【０１３９】
【図１】実施の形態としてのデジタル放送受信装置の構成例を示すブロック図である。
【図２】各チャネルの過去に選択された回数を示すチャネル選択頻度テーブルの一例を示す図である。
【図３】電源オン時における、制御部の制御動作を示すフローチャートである。
【図４】チャネル切り替え時における、制御部の制御動作を示すフローチャートである。
【図５】選局方法がダイレクト釦による方法に設定された場合の、電源オン時における、制御部の制御動作を示すフローチャートである。
【図６】選局方法がダイレクト釦による方法に設定された場合の、チャネル切り替え時における、制御部の制御動作を示すフローチャートである。
【図７】選局方法がアップ釦による方法に設定された場合の、電源オン時における、制御部の制御動作を示すフローチャートである。
【図８】選局方法がアップ釦による方法に設定された場合の、チャネル切り替え時における、制御部の制御動作を示すフローチャートである。
【図９】選局方法がダウン釦による方法に設定された場合の、電源オン時における、制御部の制御動作を示すフローチャートである。
【図１０】選局方法がダウン釦による方法に設定された場合の、チャネル切り替え時における、制御部の制御動作を示すフローチャートである。
【図１１】他の実施の形態としてのデジタル放送受信装置の構成例を示すブロック図である。
【図１２】従来のデジタル放送受信装置の構成例を示すブロック図である。
【符号の説明】
【０１４０】
１００，１００Ａ・・・デジタル放送受信装置、１０１・・・制御部、１０２・・・リモコン信号の受信部、１０３Ａ，１０３Ｂ，１０３・・・復調ブロック、１０４Ａ，１０４Ｂ，１０４・・・デコーダブロック、１０５・・・セレクタ、１０６・・・映像出力端子、１０７・・・音声出力端子、１０８・・・リモコン信号の送信機（コマンダ）、１０９・・・ＳＨＦアンテナ、１１０・・・ＵＨＦアンテナ、１１１・・・ＢＳ／１１０度ＣＳチューナ、１１２・・・ＱＰＳＫ復調部、１１３・・・地上デジタルチューナ、１１４・・・ＯＦＤＭ復調部、１２１，１２１Ｃ・・・デマルチプレクサ、１２２，１２２Ｃ・・・ビデオデコーダ、１２３，１２３Ｃ・・・映像・グラフィックス処理部、１２４，１２４Ｃ・・・フォーマットコンバータ、１２５，１２５Ｃ・・・オーディオデコーダ、１２６，１２６Ｃ・・・Ｄ／Ａコンバータ
【図１】
2008306312.tif 000003
【図２】
2008306312.tif 000004
【図３】
2008306312.tif 000005
【図４】
2008306312.tif 000006
【図５】
2008306312.tif 000007
【図６】
2008306312.tif 000008
【図７】
2008306312.tif 000009
【図８】
2008306312.tif 000010
【図９】
2008306312.tif 000011
【図１０】
2008306312.tif 000012
【図１１】
2008306312.tif 000013
【図１２】
2008306312.tif 000014